(57)【要約】 【課題】内空の小さなトンネル内において、たとえば標準サイズのセグメントを使用しながらも作業性を低下させることなく、さらには作業安全性を保証することのできるセグメント等の荷の揚げ降ろし装置を提供すること。【解決手段】トンネルＴの天井に配設されてその長手方向Ｔ１に延びるレール１と、レール１に沿って移動自在な第１、第２のトロリ２，３と、２基のトロリ２，３を相互に間隔を置いて繋ぐ繋ぎ材４と、２基のトロリ２，３がそれぞれ吊持するシーブ５，６と、第１のトロリ２が吊持するウィンチ７と、を少なくとも備え、連続するワイヤ８が繋ぎ材４に沿って延びるとともに双方のシーブ５，６に巻装され、このワイヤ８の一端はシーブ６を介してトンネルＴ内にある荷（セグメントＳ）を繋ぎ、ワイヤ８の他端はシーブ５を介してウィンチ７に巻装自在に係合している荷の揚げ降ろし装置１０である。【選択図】図１
2011236650.tif 000002
【特許請求の範囲】
【請求項１】
トンネル内空の天井に配設されてトンネルの長手方向に延びるレールと、
前記レールに沿って移動自在な第１、第２のトロリと、
第１、第２のトロリを相互に間隔を置いて繋ぐ繋ぎ材と、
第１、第２のトロリがそれぞれ吊持するシーブと、
第１のトロリが吊持するウィンチと、を少なくとも備え、
連続するワイヤが繋ぎ材に沿って延びるとともに双方のシーブに巻装され、このワイヤの一端は第２のトロリが吊持するシーブを介してトンネル内にある荷を繋ぎ、ワイヤの他端は第１のトロリが吊持するシーブを介してウィンチに巻装自在に係合している、荷の揚げ降ろし装置。
【請求項２】
前記ウィンチが手動ウィンチである、請求項１に記載の荷の揚げ降ろし装置。
【請求項３】
前記繋ぎ材は、第１、第２のトロリと回動自在に繋がっている、請求項１に記載の荷の揚げ降ろし装置。
【請求項４】
前記第１のトロリが別途のシーブを吊持し、前記第２のトロリが別途のシーブを吊持するとともに別途のウィンチも吊持し、第１のトロリ側と第２のトロリ側の双方で荷の揚げ降ろしが自在となっている、請求項１〜３のいずれかに記載の荷の揚げ降ろし装置。
【請求項５】
前記荷がセグメントである、請求項１〜４のいずれかに記載の荷の揚げ降ろし装置。
【発明の詳細な説明】
【技術分野】
【０００１】
本発明は、特にトンネル内においてセグメント等の荷を揚げ降ろしするための装置に関するものである。
【背景技術】
【０００２】
セグメントを使用してトンネル壁が形成されるセグメントトンネルの施工に際し、これが内空の小さなトンネルの場合においては、トンネルの長手方向に沿ってセグメントを積んだ台車を所定位置まで移動させ、そこでセグメントを揚げ降ろすに当たり、十分な揚程が確保できないために電動ホイスト等の動力系クレーン設備を設けることができない場合が往々にしてある。
【０００３】
このような条件下でセグメントの揚げ降ろしを可能とする方策として、セグメントピースの割付をたとえば標準の５ピース／１リングから６ピース／１リングとし、相対的に揚程を確保するといった方策が揚げられる。
【０００４】
しかし、標準のピース数よりも多い数のセグメントとすることで施工進捗ロスは否めず、さらには、セグメントが標準サイズでないことからその製作コストが増加することとなる。
【０００５】
そこで、本発明者等はあるトンネル現場において、電動ホイストを使用する代わりに手動式でたとえば０．５ｔレバーブロックを使用することとした。
【０００６】
手動式のレバーブロックを使用することで標準の５ピース／１リング用のセグメントの揚げ降ろしは可能となったが、手動式であるが故に作業員がセグメントに近接してその揚げ降ろしをおこなう必要が生じ、さらには狭隘な作業空間での操作を余儀なくされることが相俟って、作業性および作業安全性の双方が大きく低下するという新たな問題が生じた。
【０００７】
この新たな課題に対して、本発明者等は標準サイズのセグメントを使用しながらも、作業性を低下させることなく、さらには作業安全性を保証することのできるセグメント等の荷の揚げ降ろし装置の発案に至ったものである。
【０００８】
ここで、トンネル内におけるセグメントの揚げ降ろしに関する従来の公開技術として、特許文献１に開示のセグメント搬送装置を挙げることができる。
【０００９】
具体的には、１リング分のセグメントを積載したセグメント台車が進入可能なフレームを有する門型台車を設け、その門型台車の両側にセグメントを昇降する昇降手段を設け、門型台車のフレームには荷姿を検知する荷姿検知センサと荷の昇降高さを検出する昇降高さ検出センサとを設け、これらのセンサからの信号に基づいて昇降手段を制御するとともに動作中であることを警報する警報手段に信号を送る制御装置を設けたものである。
【００１０】
特許文献１で開示される上記搬送装置によれば、複数のセグメントを一度に搬送し、かつ一度に荷降ろしできることで作業効率性が向上するとしている。そして、必要揚程を制御装置の中で算出し、昇降手段で荷を揚重するとしているが、この搬送装置を使用したとしても、荷揚げに際して必要となる揚程確保を何等保証することはできない。
【先行技術文献】
【特許文献】
【００１１】
【特許文献１】特開平７−３０５６００号公報
【発明の概要】
【発明が解決しようとする課題】
【００１２】
本発明は上記する問題に鑑みてなされたものであり、内空の小さなトンネル内においてたとえば標準サイズのセグメントを使用しながらも、荷揚げの際に必要となる揚程を確保することができ、さらには作業安全性を保証することのできるセグメント等の荷の揚げ降ろし装置を提供することを目的としている。
【課題を解決するための手段】
【００１３】
前記目的を達成すべく、本発明による荷の揚げ降ろし装置は、トンネル内空の天井に配設されてトンネルの長手方向に延びるレールと、前記レールに沿って移動自在な第１、第２のトロリと、第１、第２のトロリを相互に間隔を置いて繋ぐ繋ぎ材と、第１、第２のトロリがそれぞれ吊持するシーブと、第１のトロリが吊持するウィンチと、を少なくとも備え、連続するワイヤが繋ぎ材に沿って延びるとともに双方のシーブに巻装され、このワイヤの一端は第２のトロリが吊持するシーブを介してトンネル内にある荷を繋ぎ、ワイヤの他端は第１のトロリが吊持するシーブを介してウィンチに巻装自在に係合しているものである。
【００１４】
本発明の荷の揚げ降ろし装置は、荷の揚げ降ろしに際してワイヤを水平方向に引くことにより、荷揚げの際に必要となる揚程を確保することを可能とした装置に関するものである。
【００１５】
本発明の装置は、そのトンネルの内空の天井にトンネルの長手方向に延びるレールを配しておき、このレールに沿って移動自在なトロリ（たとえばプレントロリ）を２基配設し、双方のトロリを比較的長尺な繋ぎ材で繋いで構成したものである。
【００１６】
このトロリは、モータ駆動による車輪を具備し、その走行が作業員による遠隔操作でおこなわれる形態であってもよいし、装置の一部を作業員が牽引することでこれに追随するように車輪が回転する非自走式の形態であってもよい。
【００１７】
また、本発明の装置は、第１、第２のトロリがシーブを具備し、このシーブを介してワイヤを水平方向に移動させることにより、セグメント等の荷を吊り揚げるに要する鉛直方向の揚程を保証するものであり、具体的には、２つのシーブ間距離もしくは繋ぎ材の長さは、少なくとも荷を鉛直上方に持ち揚げるに要する揚程以上の長さとなるように調整されている。
【００１８】
なお、ここでいう「水平方向」とは、トンネルの長手方向に沿う方向を意味しており、実際にトンネルの縦断線形が傾斜している場合には、これと同じ傾斜方向が装置を構成する２つのシーブ間の方向（水平方向）となるものである。
【００１９】
第１、第２のトロリに関し、そのうちの第１のトロリはウィンチを吊持し、第２のトロリはシーブを介してトンネル内にあるセグメント等の荷を繋ぎ（繋ぎの形態は、係合、巻装、フック留めなど）、ウィンチにてワイヤを巻装することによって２つのシーブを介してワイヤが荷揚げをおこなうこととなる。
【００２０】
ここで、第１のトロリで吊持されるウィンチとしては、電動ホイスト等の動力系クレーン設備を使用してもよいし、手動式ウィンチを使用してもよい。本装置を適用した場合には十分な揚程が保証できることから、動力系クレーン設備の適用も可能となる。
【００２１】
また、手動式のウィンチを使用する場合でも、実際に荷を揚げ降ろす位置（第２のトロリの位置）と作業員がウィンチを操作する位置（第１のトロリの位置）は少なくとも繋ぎ材の長さだけ離間しており、作業員が荷に近接するのが抑止されることで作業安全性は格段に向上する。
【００２２】
ここで、トンネル内において本発明の装置にて揚げ降ろしされる荷は特に限定されるものではないが、既述するセグメントをはじめ、台車等でトンネル内の所定位置まで搬送されて揚げ降ろされる、比較的重量の重いあらゆる資材、機器等がその対象となる。
【００２３】
また、本発明による荷の揚げ降ろし装置の好ましい実施の形態は、前記繋ぎ材が第１、第２のトロリと回動自在に繋がっているものである。
【００２４】
トンネルの平面線形や縦断線形は直線に限らず、曲率の異なる曲線の組み合わせ、曲線と直線の組み合わせ、相互に傾斜する直線の組み合わせやこれにさらに曲線が組み合わされたものなど、その線形バリエーションは多様である。
【００２５】
そこで、装置を構成する繋ぎ材が第１、第２のトロリと回動自在に繋がっていることで、このように多様な線形バリエーションのトンネルに対しても、装置がその線形に臨機に追随しながら２基のトロリの走行が可能となる。なお、ここでいう「回動自在」とは、トンネルの平面線形の変化に対応できるような回動形態、トンネルの縦断線形の変化に対応できるような回動形態、双方の変化に対応できるような回動形態のすべてを包含する意味である。したがって、繋ぎ材とトロリとの繋ぎ部が蝶番構造を具備するもの、雄雌構造の繋ぎ部であって雄は球体からなり、雌はこの球体に相補的な内空を具備する中空球体などからなるものなどを挙げることができる。
【００２６】
さらに、本発明による荷の揚げ降ろし装置の好ましい実施の形態は、前記第１のトロリが別途のシーブを吊持し、前記第２のトロリが別途のシーブを吊持するとともに別途のウィンチも吊持し、第１のトロリ側と第２のトロリ側の双方で荷の揚げ降ろしが自在となっているものである。
【００２７】
この形態の装置は、第１、第２のトロリの双方で荷の揚げ降ろしを実施でき、このことは双方でウィンチ操作を実施できること（２操作機能）を意味するものである。
【００２８】
２基のトロリの双方で荷の揚げ降ろしが実施可能であることから、特に、内空が小さい狭隘なトンネル内でのセグメント等の揚げ降ろし作業に対して、その作業効率の向上を図ることができる。
【発明の効果】
【００２９】
以上の説明から理解できるように、本発明の荷の揚げ降ろし装置によれば、２基のトロリが吊持するシーブを介してワイヤを水平方向に移動させることにより、セグメント等の荷を吊り揚げる揚程に関してトンネル空間で許容される最大限の揚程を保証することができ、さらには、一方のトロリ側で荷が揚げ降ろされ、他方のトロリ側で作業員がウィンチを操作できるようになっていることで、作業安全性を飛躍的に向上させることができる。
【図面の簡単な説明】
【００３０】
【図１】本発明の荷の揚げ降ろし装置の一実施の形態の側面図であり、トンネル内でセグメントを吊り揚げている状態を示した図である。
【図２】図１のII−II矢視図である。
【図３】本発明の荷の揚げ降ろし装置の他の実施の形態の側面図である。
【発明を実施するための形態】
【００３１】
以下、図面を参照して本発明の荷の揚げ降ろし装置を説明する。なお、図示するトンネルはその内空が直径１〜２ｍ程度と極めて小さなトンネルを対象としているが、本発明の荷の揚げ降ろし装置がこのように狭隘なトンネルに限定して適用されるものでないことは勿論のことである。また、図示例において揚げ降ろし対象の荷はセグメントであるが、その対象もセグメントに何等限定されるものでなく、比較的重量の重い資材や機器の全般がその対象となる。
【００３２】
図１は本発明の荷の揚げ降ろし装置の一実施の形態の側面図であり、トンネル内でセグメントを吊り揚げている状態を示した図であり、図２は図１のII−II矢視図である。
【００３３】
本発明の荷の揚げ降ろし装置１０（以下、装置という）は、トンネルＴの天井に配設されてその長手方向Ｔ１に延びるレール１と、このレール１に沿って移動自在であってともにシーブ５，６を吊持する第１、第２のトロリ２，３と、トロリ２，３を繋ぐ比較的長尺な繋ぎ材４と、第１のトロリ２が吊持するウィンチ７と、シーブ５，６の双方に巻装されてその一端が荷揚げされるセグメントＳと繋がれ、その他端がウィンチ７にて巻装自在に係合しているワイヤ８と、から大略構成されている。
【００３４】
２基のトロリ２，３は、それぞれの車輪２１，３１がレール１に係合しながらこのレール１に沿って移動できるものであり、不図示の駆動モータを内蔵して作業員による遠隔操作にて駆動する形態であってもよいし、非自動式のものであってもよい。
【００３５】
ウィンチ７はラチェット式（手動式）であり、巻揚げの際の作業員の負荷を極力軽減できるものである。
【００３６】
また、繋ぎ材４の長さは、少なくとも荷揚げされるセグメントＳの鉛直揚程：Ｌ以上の長さに設定されており、ウィンチ７による巻揚げによってワイヤ８がこの繋ぎ材４に沿ってトンネルＴ内で水平方向に移動することになる（Ｘ２方向）。
【００３７】
繋ぎ材４と２基のトロリ２，３との接続部はともに回動式接続部４１，４２となっており、繋ぎ材４および２基のトロリ２，３がそれぞれ相互に回動できることにより、トンネルＴの多様な縦断線形や平面線形に追随しながら装置１０の移動が可能となっている。
【００３８】
トンネルＴ内のたとえば切羽前面には、トンネルＴの下方に敷設された台車用レールＲ上を走行する台車ＤによってセグメントＳが搬送される。
【００３９】
不図示の作業員は、台車Ｄ上のセグメントＳに第２のトロリ３側のシーブ６から垂れるワイヤ８の端部を繋ぎ、少なくとも繋ぎ材４の長さ分だけ離間した位置でウィンチ７を操作することにより、ワイヤ８はウィンチ７に巻装されながら水平方向に移動し、セグメントＳは上方に巻揚げられる（Ｘ１方向）。
【００４０】
この装置１０によれば、２基のトロリ２，３が吊持するシーブ５，６を介してワイヤ８を水平方向に移動させることにより、セグメントＳを吊り揚げるに際し、トンネル空間で許容される最大限の揚程Ｌを保証することが可能となる。
【００４１】
さらに、第２のトロリ３側でセグメントＳが荷揚げされ、少なくとも繋ぎ材４の長さだけ離れた第１のトロリ２側で作業員がウィンチ７を操作できるようになっていることにより、作業安全性を飛躍的に向上させることができる。
【００４２】
図３は、本発明の荷の揚げ降ろし装置の他の実施の形態の側面図である。
【００４３】
図示する装置１０Ａは、第１のトロリ２側のみならず第２のトロリ３側にもウィンチ９を具備するものである。より具体的には、第１、第２のトロリ２，３がいずれも２つのシーブを吊持し、第１のトロリのみならず第２のトロリもウィンチ９を吊持し、双方の対応するシーブ同士が固有のワイヤを巻装しながら双方のワイヤの一端がウィンチ７，９に係合され、これらのウィンチ７，９のいずれか一方を操作することにより、第１のトロリ２側と第２のトロリ３側の双方でセグメントＳの揚げ降ろしを自在としたものである（Ｘ１方向およびＸ１’方向）。
【００４４】
この装置１０Ａによれば、２基のトロリ２，３の双方でセグメントＳの揚げ降ろしが実施可能であることから、特に、図示するように内空が小さく、狭隘なトンネルＴ内でのセグメントＳの揚げ降ろし作業に対してその作業効率を格段に向上させることができる。
【００４５】
［セグメントの組立時間に関する検証およびその他の付随効果］
本発明者等は、実際に図３で示す装置１０Ａを適用して狭隘なトンネルでの作業効率性を検証した。
【００４６】
その結果、セグメントの荷降ろし時間ロスが大幅に短縮され、セグメント組立時間に関しては従来の３０分から１０分と、１／３の組立時間であった。
【００４７】
また、ラチェット式ウィンチを適用したことで作業員への負荷が大幅に軽減され、荷揚げ対象のセグメントの近傍に作業員がいないことから安全性の高い作業が実現された。
【００４８】
さらに、装置のメンテナンスは定期的なワイヤ交換のみとなり、比較的ゆっくりとした手動によるセグメントの荷降ろしのために搬送用のローラコンベアの故障や修理が全く必要なく、工費を大幅に節減することができた。
【００４９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５０】
１…レール、２…第１のトロリ、２１…車輪、３…第２のトロリ、３１…車輪、４…繋ぎ材、４１，４２…回動式接続部、５，６…シーブ、７，９…手動式ウィンチ、８…ワイヤ、１０，１０Ａ…装置（荷の揚げ降ろし装置）、Ｓ…セグメント、Ｔ…トンネル、Ｔ１…長手方向、Ｒ…台車レール、Ｄ…台車、Ｌ…揚程
【図１】
2011236650.tif 000003
【図２】
2011236650.tif 000004
【図３】
2011236650.tif 000005